(57)【特許請求の範囲】
【請求項１】
撮影倍率を変えることができると共に、撮影倍率の変更に伴ってファインダ倍率も変えることができるズームカメラであって、
鏡筒には、最も被写体側に第１レンズが納められ、該第１レンズよりも撮像媒体側に第２レンズが納められ、該第１レンズ及び該第２レンズは、両レンズが最も撮像媒体側に位置し且つ該第１レンズが本体内に納まっている沈胴位置と、該沈胴位置よりも被写体側で撮影可能な最低倍率位置と、該最低倍率位置よりもさらに被写体側で撮影可能な最高倍率位置とに移動可能な沈胴式ズームカメラにおいて、
前記鏡筒は、前記第１レンズを支持し前記本体に対して光軸と平行な方向に相対移動可能に設けられている第１レンズ支持筒と、前記第２レンズを支持し前記本体に対して光軸と平行な方向に相対移動可能に設けられている第２レンズ支持筒と、該本体に対して光軸回りに相対回転可能に設けられている沈胴カム筒と、該本体に対して光軸回りに相対回転可能に該沈胴カム筒よりも被写体側に設けられているズームカム筒と、前記沈胴カム筒に対して光軸と平行な方向に移動可能に設けられている移動駒とを有し、
前記移動駒には、光軸に対して放射方向に突出した駒従動突起部が形成され、
前記第１レンズ支持筒には、光軸に対して放射方向に突出した第１従動突起部が形成され、
前記第２レンズ支持筒には、光軸に対して放射方向に突出し、前記第２レンズを沈胴位置から前記最少倍率位置の直前に至らしめるまでの間において光軸と平行な方向に移動する前記移動駒と接触している第２従動突起部が形成され、
前記沈胴カム筒には、前記第１レンズを前記沈胴位置から前記最低倍率位置に至らしめる直前までの間で前記第１従動突起部が係合可能で且つ前記光軸に対してスパイラル状の第１カム部と、前記駒従動突起部が係合し且つ前記第２レンズを前記沈胴位置から前記最低倍率位置に至らしめる直前までの間で前記光軸に対してスパイラル状で、該第２レンズを前記沈胴位置から前記最低倍率位置に至らしめる直前までの間以外の間で前記光軸に対して垂直な方向に環状の駒カム部とが形成され、
前記ズームカム筒には、前記第１レンズを前記最低倍率位置から前記最大倍率位置に移動させる間で前記第１従動突起部が係合可能で且つ前記光軸に対してスパイラル状の第１カム部と、前記第２レンズを前記最少倍率位置から前記最大倍率位置に移動させる間で前記第２従動突起部が係合可能で且つ前記光軸に対してスパイラル状の第２カム部とが形成され、
前記第１レンズを前記沈胴位置から少なくとも前記最小倍率位置の直前まで移動させることができる範囲で、前記沈胴カム筒を回転させると共に、該第１レンズを少なくとも該最小倍率位置から前記最大倍率位置まで移動させることができる範囲で、前記ズームカム筒を回転させるカム筒回転機構と、
前記ズームカム筒の回転のみに伴って前記ファインダに変倍動作させる変倍機構と、
を備えていることを特徴とする沈胴式ズームカメラ。
【請求項２】
照射角度の変更が可能なストロボを備え、
前記変倍機構は、前記ズームカム筒の回転に伴い前記ストロボにも変角動作させることができるよう構成されていることを特徴とする請求項１記載の沈胴式ズームカメラ。
【請求項３】
第１レンズ及び第２レンズが収められ、両レンズが最も撮像媒体側に位置している沈胴位置と、該沈胴位置よりも被写体側で撮影可能な最低倍率位置と、該最低倍率位置よりもさらに被写体側で撮影可能な最高倍率位置とに移動可能な鏡筒装置において、
前記第１レンズを支持する第１レンズ支持筒と、前記第２レンズを支持する第２レンズ支持筒と、前記第１レンズ支持筒に支持されている前記第１レンズを前記沈胴位置から前記最小倍率位置の直前まで移動させることができる範囲で光軸回りに回転する沈胴カム筒と、該沈胴カム筒の回転を伴わずに、光軸回りに回転して前記第１レンズ及び前記第２レンズを少なくとも前記最小倍率位置から前記最大倍率位置まで移動させるズームカム筒と、
を備えていることを特徴とする鏡筒装置。
【請求項４】
前記沈胴カム筒の回転で被写体側に移動して、前記第２レンズ支持筒に支持されている前記第２レンズを前記沈胴位置から前記最小倍率位置の直前まで移動させる移動駒を備え、
前記第２レンズ支持筒には、光軸に対して放射方向に突出した第２従動突起が形成され、
前記移動駒には、光軸に対して放射方向に突出した駒従動突起部が形成され、
前記沈胴カム筒には、前記駒従動突起部が係合し且つ前記第２レンズを前記沈胴位置から前記最低倍率位置に至らしめる直前までの間で前記光軸に対してスパイラル状で、該第２レンズを前記沈胴位置から前記最低倍率位置に至らしめる直前までの間以外の間で前記光軸に対して垂直な方向に環状の駒カム部が形成され、
前記ズームカム筒には、前記第２レンズを前記最少倍率位置から前記最大倍率位置に移動させる間で前記第２従動突起部が係合可能で且つ前記光軸に対してスパイラル状の第２カム部とが形成され、
前記第２レンズが前記最小倍率位置の直前から前記沈胴位置まで移動する際には、前記沈胴カム筒の回転で撮像媒体側へ移動する前記第１レンズ支持筒により、前記第２レンズ支持筒が撮像媒体側へ移動することを特徴とする請求項３記載の鏡筒装置。
【発明の詳細な説明】
【０００１】
【産業上の利用分野】
本発明は、撮影倍率を変えることができると共に、撮影倍率の変更に伴ってファインダ倍率も変えることができるズームカメラに関し、特に、最も被写体側のレンズが、本体内に納まっている沈胴位置と、該沈胴位置よりも被写体側で撮影可能な最低倍率位置と、該最低倍率位置よりもさらに被写体側で撮影可能な最高倍率位置とに移動可能な沈胴式ズームカメラ、及びこれに用いられる鏡筒装置に関する。
【０００２】
【従来の技術】
従来の沈胴式ズームカメラとしては、例えば、図９に示すようなものがある。この沈胴式ズームカメラは、撮影倍率を変えることができると共に、撮影倍率の変更に伴ってファインダー倍率及びストロボ照射角度も変えることができ、且つ、最も被写体側の第１レンズが、本体内に納まっている沈胴位置と、沈胴位置よりも被写体側で撮影可能な最低倍率位置と、最低倍率位置よりもさらに被写体側で撮影可能な最高倍率位置とに移動可能なものである。この沈胴式ズームカメラは、カメラ本体に対して光軸と平行な方向に相対移動可能に設けられているレンズ支持筒（同図中には示されていない。）と、カメラ本体に対して光軸回りに相対回転可能に設けられているカム筒２と、カム筒２を回転させる駆動モータ１と、カム筒２の回転に伴ってファインダ１２０に変倍動作をさせると共にストロボ１３０に照射角変更動作をさせる変倍・変角機構５とを備えている。
【０００３】
カム筒２には、このカム筒２の回転に伴って沈胴位置から最小倍率位置を経て最大倍率位置にレンズ支持筒を移動させるためのカム３が形成されていると共に、この外周に円周方向に伸びるギヤ４が形成されている。
変倍・変角機構５は、カム筒２のギヤ４に係合するギヤ群６と、このギヤ群６の動作により揺動する変倍・変角用カム体７と、ファインダー１２０の移動レンズ１２１，１２２及びストロボ本体１３１を光軸と平行な方向へ移動するよう案内する案内軸１１６，１１７とを有して構成されている。変倍・変角用カム体７には、ファインダー１２０の移動レンズ１２１，１２２を支持するレンズ支持軸１２６，１２７が係合するファインダ変倍用カム７ａ，７ｂと、ストロボ本体１３１の支持軸１３４が係合するストロボ照射角変更用カム７ｃとが形成されている。
【０００４】
この従来技術において、沈胴位置の状態から撮影可能な状態（最低倍率位置から最高倍率位置迄の間の状態）にする場合、駆動モータ１を駆動させて、カム筒２を回転させる。このカム筒２の回転に伴い、レンズ支持筒が沈胴位置から最低倍率位置迄移動する一方で、変倍・変角用カム体７が揺動して、ファインダー１２０の移動レンズ１２１，１２２及びストロボ本体１３１が光軸と平行な方向に移動する。また、撮影可能な状態で、駆動モータ１を駆動してカム筒２を回転させると、レンズ支持筒が最低倍率位置と最高倍率位置との間で移動する一方で、変倍・変角用カム体７が揺動して、ファインダー１２０の移動レンズ１２１，１２２及びストロボ本体１３１が光軸と平行な方向に移動し、撮影倍率に対応したファインダ倍率になると共に、同じく撮影倍率に対応したストロボ照射角になる。
【０００５】
【発明が解決しようとする課題】
しかしながら、このような従来技術では、撮影可能な状態において変倍・変角動作すれば十分なファインダやストロボが、沈胴位置から最低倍率位置までの間の移動に対しても、変倍・変角動作してしまう。具体的には、レンズ支持筒の沈胴位置から最低倍率位置までの間の移動に対しても、変倍・変角用カム体７が揺動して、ファインダー１２０の移動レンズ１２１，１２２及びストロボ本体１３１が移動することになる。このように、撮影不可能な状態においても、ファインダ１２０及びストロボ１３０が変倍・変角動作してしまうため、ファインダ１２０の移動レンズ１２１，１２２の移動範囲、及びストロボ本体１３１の移動範囲が大きくなると共に、これらの移動を確保する変倍・変角用カム体７も大きくなり、カメラ全体が大型化するという問題点がある。
【０００６】
本発明は、このような従来の問題点に着目してなされたもので、カメラ全体の小型化を図ることができる沈胴式ズームカメラ、及びこれに用いられる鏡筒装置を提供することを目的とする。
【０００７】
【課題を解決するための手段】
前記目的を達成するための沈胴式ズームカメラは、
撮影倍率を変えることができると共に、撮影倍率の変更に伴ってファインダ倍率も変えることができるズームカメラであって、
鏡筒には、最も被写体側に第１レンズが納められ、該第１レンズよりも撮像媒体側に第２レンズが納められ、該第１レンズ及び該第２レンズは、両レンズが最も撮像媒体側に位置し且つ該第１レンズが本体内に納まっている沈胴位置と、該沈胴位置よりも被写体側で撮影可能な最低倍率位置と、該最低倍率位置よりもさらに被写体側で撮影可能な最高倍率位置とに移動可能な沈胴式ズームカメラにおいて、
前記鏡筒は、前記第１レンズを支持し前記本体に対して光軸と平行な方向に相対移動可能に設けられている第１レンズ支持筒と、前記第２レンズを支持し前記本体に対して光軸と平行な方向に相対移動可能に設けられている第２レンズ支持筒と、該本体に対して光軸回りに相対回転可能に設けられている沈胴カム筒と、該本体に対して光軸回りに相対回転可能に該沈胴カム筒よりも被写体側に設けられているズームカム筒と、前記沈胴カム筒に対して光軸と平行な方向に移動可能に設けられている移動駒とを有し、
前記移動駒には、光軸に対して放射方向に突出した駒従動突起部が形成され、
前記第１レンズ支持筒には、光軸に対して放射方向に突出した第１従動突起部が形成され、
前記第２レンズ支持筒には、光軸に対して放射方向に突出し、前記第２レンズを沈胴位置から前記最少倍率位置の直前に至らしめるまでの間において光軸と平行な方向に移動する前記移動駒と接触している第２従動突起部が形成され、
前記沈胴カム筒には、前記第１レンズを前記沈胴位置から前記最低倍率位置に至らしめる直前までの間で前記第１従動突起部が係合可能で且つ前記光軸に対してスパイラル状の第１カム部と、前記駒従動突起部が係合し且つ前記第２レンズを前記沈胴位置から前記最低倍率位置に至らしめる直前までの間で前記光軸に対してスパイラル状で、該第２レンズを前記沈胴位置から前記最低倍率位置に至らしめる直前までの間以外の間で前記光軸に対して垂直な方向に環状の駒カム部とが形成され、
前記ズームカム筒には、前記第１レンズを前記最低倍率位置から前記最大倍率位置に移動させる間で前記第１従動突起部が係合可能で且つ前記光軸に対してスパイラル状の第１カム部と、前記第２レンズを前記最少倍率位置から前記最大倍率位置に移動させる間で前記第２従動突起部が係合可能で且つ前記光軸に対してスパイラル状の第２カム部とが形成され、
前記第１レンズを前記沈胴位置から少なくとも前記最小倍率位置の直前まで移動させることができる範囲で、前記沈胴カム筒を回転させると共に、該第１レンズを少なくとも該最小倍率位置から前記最大倍率位置まで移動させることができる範囲で、前記ズームカム筒を回転させるカム筒回転機構と、
前記ズームカム筒の回転のみに伴って前記ファインダに変倍動作させる変倍機構と、
を備えていることを特徴とするものである。
前記目的を達成するための鏡筒装置は、
第１レンズ及び第２レンズが収められ、両レンズが最も撮像媒体側に位置している沈胴位置と、該沈胴位置よりも被写体側で撮影可能な最低倍率位置と、該最低倍率位置よりもさらに被写体側で撮影可能な最高倍率位置とに移動可能な鏡筒装置において、
前記第１レンズを支持する第１レンズ支持筒と、前記第２レンズを支持する第２レンズ支持筒と、前記第１レンズ支持筒に支持されている前記第１レンズを前記沈胴位置から前記最小倍率位置の直前まで移動させることができる範囲で光軸回りに回転する沈胴カム筒と、該沈胴カム筒の回転を伴わずに、光軸回りに回転して前記第１レンズ及び前記第２レンズを少なくとも前記最小倍率位置から前記最大倍率位置まで移動させるズームカム筒と、
を備えていることを特徴とするものである。
【０００８】
【作用】
沈胴位置の状態では、第１レンズ支持筒に形成されている第１従動突起部は、固定筒の第１直進案内部と沈胴カム筒の第１カム部とに係合している。また、移動駒に形成されている駒従動突起部は、沈胴カム筒の駒カム部のうち、スパイラル状に形成されている部分の駒カム部に係合している。さらに、第２レンズ支持筒に形成されている第２従動突起は、移動駒に接触していると共に、固定筒の第２直進案内部に係合している。この沈胴位置の状態において、カム筒回転機構を動作させると、沈胴カム筒が回転する。沈胴カム筒が回転すると、これに形成されているカムの位置も変わるため、これらのカムに係合している第１従動突起部及び駒従動突起部は、光軸と平行な方向成分を含む方向へ移動する。駒従動突起部が光軸と平行な方向成分を含む方向に移動すると、これに接触している第２従動突起部も光軸と平行な方向成分を含む方向に移動する。この際、第１従動突起部及び第２従動突起部は、固定筒の第１直進案内部、第２直進案内部にも、それぞれ係合しているので、これらの直進案内部に案内されて、光軸と平行な方向へ移動する。このように、第１従動突起部及び第２従動突起部が光軸と平行な方向へ移動する結果、第１レンズ及び第２レンズも、光軸と平行な方向へ移動する。
【０００９】
沈胴カム筒が回転して、第１レンズ及び第２レンズが最小倍率位置直前まで至ると、沈胴カム筒の第１カム部に係合していた第１従動突起部は、ズームカム筒の第１カム部に乗り移る。また、移動駒に接触していた第２従動突起部は、移動駒から離れ、ズームカム筒の第２カム部に係合する。そして、最少倍率位置の状態になると、カム筒回転機構が、ズームカム筒を回転させ始める。このズームカム筒の回転で、前述同様、第１従動突起部及び第２従動突起部が、それぞれ対応するカム部及び直進案内部に案内されて、第１レンズ及び第２レンズは最大倍率位置までの間で光軸と平行な方向に移動する。
【００１０】
ところで、変倍機構は、ズームカム筒の回転のみに従ってファインダに変倍動作させる。このため、ファインダの変倍機構は、ズームカム筒が回転する最小倍率位置の状態から最大倍率位置の状態までの間で、ファインダに変倍動作させることになる。換言すれば、ズームカム筒の回転のみで動作するファインダ変倍機構、さらにこの変倍機構で変倍動作するファインダは、撮影不可能な沈胴位置の状態から最小倍率位置直前の状態までの間は動作しない。従って、ファインダ自体の可動部分の動作ストローク、及びこのファインダの変倍機構の可動部分の動作ストロークを短くすることができ、カメラ全体の小型化を図ることができる。
【００１１】
【実施例】
以下、本発明に係る沈胴式ズームカメラの一実施例について、図１〜図８を用いて説明する。
本実施例の沈胴式ズームカメラは、図１に示すように、カメラ本体とカメラ本体内に沈胴可能な鏡筒装置とを有して構成されている。
【００１２】
鏡筒装置内には、被写体側より順に、１群レンズ１５、２群前レンズ２３、２群後レンズ２７、３群レンズ３６が納められている。鏡筒装置は、１群レンズ１５の前に配されている絞り環８５と、１群レンズ１５を支持する１群レンズ支持筒１０と、シャッタ膜２１を有すると共に２群前レンズ２３を支持するシャッタブロック２０と、２群後レンズ２７をレンズ支持環２６を介して支持する防振ユニット２５と、３群レンズ３６を支持するヘリコイド環３４と、ヘリコイド環３４を光軸回りに回転させつつ光軸Ｃと平行な方向に移動させるフォーカスユニット３０と、本体ベース１０２に固定されている固定筒４０と、２群後レンズ２７を支持する防振ユニット２５に対して光軸Ｃと平行な方向に１群レンズ筒１０が相対移動した際の間隙を遮蔽するための遮光筒８７と、固定筒４０の外周に光軸回りに回転可能に設けられているズームカム筒６０及び沈胴カム筒５０と、これらズームカム筒６０及び沈胴カム筒５０を回転させるカム筒回転機構７０と、ズームカム筒６０の内周側と固定筒４０の外周側との間に配され光軸Ｃと平行な方向に移動可能に設けられているリフトコマ８０と、ズームカム筒６０と沈胴カム筒５０とのうち一方のカム筒の回転に伴って他方のカム筒が回転しないよう他方のカム筒の回転を拘束するカム筒回転拘束機構９０とを有して構成されている。
【００１３】
絞り環８５は、１群レンズ１５に入射する光をある程度絞れるように、１群レンズ支持筒１０に固定されている。シャッタブロック２０は、ビス２２により防振ユニット２５に固定されている。防振ユニット２５は、いわゆる手振れを防ぐために、レンズ支持環２６ごと２群後レンズ２７を光軸Ｃに対して直角方向へ移動させる機構（図示されていない。）を有している。３群レンズ３６を支持するヘリコイド環３４の外周には、雄ヘリコイド３５が形成され、フォーカスユニット３０の内周には、この雄ヘリコイド３５に螺合する雌ヘリコイド３１が形成されている。フォーカスユニット３０は、ヘリコイド環３４と共に３群レンズ３６を光軸回りに回転させつつ、光軸Ｃと平行な方向に移動させる機構を有している。
【００１４】
１群レンズ支持筒１０は、その最もフィルム側に、放射方向（光軸Ｃから遠ざかる方向）に突出した１群用フォロアピン１１が形成されている。また、防振ユニット２５にも、その最もフィルム側に、放射方向に突出した２群用フォロアピン２８が形成されている。さらに、フォーカスユニット３０にも、その最も被写体側に、放射方向に突出した３群用フォロアピン３２が形成されている。各フォロアピン１１，２８，３２は、その基部側が円筒部１２ａ，２９ａ，３３ａを形成し、その先端側がテーパ部１２ｂ，２９ｂ，３３ｂを形成している。
【００１５】
固定筒４０には、図１及び図４に示すように、１群用フォロアピン１１、２群用フォロアピン２８、３群用フォロアピン３２の移動をそれぞれ光軸Ｃと平行な方向に案内する直進案内孔４１，４２，４３が形成されている。各直進案内孔４１，４２，４３は、光軸Ｃと平行な方向に長く、且つその移動距離が最も長い１群レンズ１５の移動距離に対応した長さの長孔になっている。各直進案内孔４１，４２，４３には、対応するフォロアピン１１，２８，３２が挿通されている。各フォロアピン１１，２８，３２は、その円筒部１２ａ，２９ａ，３３ａが直進案内孔４１，４２，４３の内面に摺接し、そのテーパ部１２ｂ，２９ｂ，３３ｂが直進案内孔４１，４２，４３から固定筒４０の外周側に突出している。固定筒４０には、ズームカム筒６０及び沈胴カム筒５０の光軸Ｃと平行な方向への移動を規制するために、そのフィルム側端部に外周方向に突出した鍔４４が形成され、その被写体側端部にリング４６が設けられている。
【００１６】
ズームカム筒６０は、そのフィルム側の板厚が薄くなっている。また、沈胴カム筒５０は、その被写体側の板厚が薄くなっている。ズームカム筒６０と沈胴カム筒５０とは、両者の板厚が薄くなっているところ相互で重なり合っている。ズームカム筒６０及び沈胴カム筒５０には、図１及び図４に示すように、各フォロアピン１１，２８，３２のテーパ部１２ｂ，２９ｂ，３３ｂが係合するカム５１，６１，６２，６３が形成されている。各カム５１，６１，６２，６３は、光軸Ｃに対して基本的にスパイラル状を成している。
【００１７】
ズームカム筒６０のカム６１，６２，６３としては、その板厚が厚い部分（被写体側の部分＝インナーカム部６４）に形成されているインナーカム（筒の内周側に形成され、溝底を有するカム）６１ａ，６２ａ，６３ａと、その板厚が薄い部分（フィルム側の部分＝スルーカム部６５）に形成されているスルーカム（筒の内周側から外周側へ貫通しているカム）６１ｂ，６２ｂ，６３ｂとがある。このインナーカム６１ａ，６２ａ，６３ａとスルーカム６１ｂ，６２ｂ，６３ｂとは、１つのフォロアピン１１，２８，３２が係合するよう、両者の端部でつながって、１つのカム６１，６２，６３を形成している。１群用フォロアピン１１が係合する１群用カム６１は、その端から端まで光軸Ｃに対してスパイラルになるよう形成されている。また、３群用フォロアピン３２が係合する３群用カム６３は、インナーカム部６４においては、完全に光軸Ｃに対してスパイラル方向に伸び、スルーカム部６５においては、被写体側が光軸Ｃに対してスパイラル方向に伸び、フィルム側で光軸Ｃに対して垂直方向に伸びている。なお、この光軸Ｃに対して垂直方向に伸びているカム６３の部分を垂直部６３ｃとする。２群用フォロアピン２８が係合する２群用カム６２は、インナーカム部６４およびスルーカム部６５において、光軸Ｃに対してスパイラル方向に伸びている。但し、２群用カム６２は、スルーカム部６５において、被写体側の一部にのみしか形成されていない。ズームカム筒６０のスルーカム部６５には、リフトコマ８０が入り込み、これを光軸Ｃと平行な方向に移動させるためのリフトコマ収納部６６が形成されている。このリフトコマ収納部６６は、２群用カム６２のフィルム側端部と接続されている。リフトコマ８０には、光軸Ｃに対して放射方向に突出するフォロアピン８１が形成されている。
【００１８】
沈胴カム筒５０には、リフトコマ８０のフォロアピン８１が係合するインナーカム５２、及び１群用フォロアピン１１が係合する１群用カム５１が形成されている。このインナーカム５２は、光軸Ｃに対して垂直な方向に伸びている垂直部５２ｂと光軸Ｃに対して斜めの方向に伸びている斜め部５２ａとを有している。沈胴カム筒５０の被写体側端部には、被写体側に突出した爪５３が形成されている。一方、ズームカム筒６０の厚さが変わる段差部６７ａには、沈胴カム筒５０の爪５３が入り込む切欠き６７が形成されている。この切欠き６７と爪５３とは、沈胴カム筒５０とズームカム筒６０との相対的な回転を確保する一方で、沈胴カム筒５０とズームカム筒６０との一体的な回転を確保するためのものである。ズームカム筒６０には、その外周側で且つ段差部６７ａに円周方向に伸びるセクタギヤ６８が形成されている。また、沈胴カム筒５０にも、その外周側で且つ被写体側端部に円周方向に伸びるセクタギヤ５４が形成されている。両セクタギヤ５４，６８の円周方向の位置関係については、本実施例の動作を説明する際に説明する。
【００１９】
ズームカム筒６０及び沈胴カム筒５０の外周側には、これらの筒５０，６０を光軸回りに回転させるため、これらセクタギヤ５４，６８に係合するカム筒駆動ギヤ７１、このカム筒駆動ギヤ７１に係合する他のギヤ７２、及びこのギヤ７２を回転させる駆動モータ７３が設けられている。カム筒回転機構７０は、これらセクタギヤ５４，６８、ギヤ７１，７２、及びカム筒駆動モータ７３で構成されている。カム筒駆動モータ７３の駆動軸には、図３に示すように、スリット円板１６１が取付けられており、このスリット円板１６１を臨むようにフォトインタラプタ１６２が設けられている。このフォトインタラプタ１６２は、スリット円板１６１の一方の側に発光部を有し、スリット円板１６１の他方の側に受光部を有しており、発光部からの光がスリット円板１６１のスリットを通って受光部で受光される回数により、カム筒駆動モータ７３の駆動量を検出できるようになっている。すなわち、このスリット板１６１及びフォトインタラプタ１６２が、カム筒駆動モータ７３の駆動量を検出する駆動量検出センサ１６０を構成している。
【００２０】
ズームカム筒６０及び沈胴カム筒５０の外周側には、さらに、沈胴カム筒５０の爪５３がズームカム筒６０の切欠き６７の端部に当接せず、両カム筒５０，６０が相対回転可能な際に、一方のカム筒の回転に対して他方のカム筒がこの回転に伴って回転しないようにするための回転拘束機構９０が設けられている。
【００２１】
この回転拘束機構９０としては、ズームカム筒６０の回転を拘束するズームカム筒用９０ｂと沈胴カム筒５０の回転を拘束する沈胴カム筒用９０ａとがある。回転拘束機構９０ａ，９０ｂは、略コの字型を成し、その一端に係止端９２ａ，９２ｂが形成され、その他端にカムフォロア端９３ａ，９３ｂが形成されている回転拘束レバー９１ａ，９１ｂと、この回転拘束レバー９１ａ，９１ｂの係止端９２ａ，９２ｂが係止される被係止部５５ａ，６９ｂと、回転拘束レバー９１ａ，９１ｂのカムフォロア端９３ａ，９３ｂが当接する回転拘束用カム６９ａ，５５ｂと、回転拘束レバー９１ａ，９１ｂを揺動可能に支持する揺動軸９４ａ，９４ｂと、回転拘束レバー９１ａ，９１ｂのカムフォロア端９３ａ，９３ｂが回転拘束用カム６９ａ，５５ｂに当接する方向で且つ係止端９２ａ，９２ｂが被係止部５５ａ，６９ｂから遠ざかる方向に回転拘束レバー９１ａ，９１ｂを付勢するバネ９５ａ，９５ｂとを有して構成されている。ズームカム筒用９０ｂは、その回転拘束用カム５５ｂが沈胴カム筒５０の外周面に形成され、その被係止部６９ｂがズームカム筒６０の外周に形成されている。また、沈胴カム筒用９０ａは、その回転拘束用カム６９ａがズームカム筒６０の外周面に形成され、その被係止部５５ａが沈胴カム筒５０の外周面に形成されている。なお、図４においては、回転拘束機構９０の動作を理解しやすくするために模式的に描いているが、実際には、図１及び図８に示すように、回転拘束レバー９１は、両カム筒５０，６０に跨るよう光軸Ｃと平行な方向に伸び、その揺動軸９５も光軸Ｃと平行な方向に伸びている。但し、これらの図面では、ズームカム筒用９０ｂと沈胴カム筒用９０ａとのうち、一方しか描いていない。
【００２２】
沈胴カム筒５０の外周側には、この沈胴カム筒５０の回転基準位置を検出して、カム筒駆動モータ７３の駆動量をリセットするためのリセットスイッチ１６５が設けられている。また、沈胴カム筒５０の外周には、回転基準位置を示すための基準位置検出用凸部５９が形成されている。
【００２３】
なお、以上の鏡筒装置において、リフトコマ８０、リフトコマ収納部６６、各レンズ１５，２３，３６を支持している部材の各フォロアピン１１，２８，３２、これらのピン１１，２８，３２が係合するカム５１，６１，６２，６３は、図中、１個しか描いていないが、ガタのない動作を確保するため、現実には、それぞれ３個づつ設けられている。また、固定筒４０の１群用直進案内孔４１、２群用直進案内孔４２、３群用直進案内孔４３も、各フォロアピン１１，２８，３２の数量に対応して、３個づつ形成されている。
【００２４】
本体は、図１に示すように、各駆動部分を制御するための制御回路１５０と、本体の後部に有する本体ベース１０２と、本体ベース１０２や鏡筒装置を覆う本体カバー１０１と、フィルム１０５の装填のための裏蓋１０３と、フィルム１０５を本体ベース１０２に押し付ける圧板１０４と、図８に示すように、変倍可能なファインダー１２０と、照射角変更可能なストロボ１３０と、鏡筒装置の動作に伴ってファインダー１２０の変倍動作及びストロボ１３０の照射角変更動作を行う変倍・変角機構１１０と、その他、図示されていない、フィルム巻き上げ機構と、フィルム巻き戻し機構等とを備えている。
【００２５】
制御回路１５０は、図３に示すように、カム筒駆動モータ７３の駆動量をカウントするためのカウンタ１５１と、カム筒駆動モータ７３の駆動量が所定の量になるようにカム筒駆動モータ７３を制御するカム筒駆動制御部１５２と、フォーカスユニット３０の駆動量を制御するフォーカス制御部１５３とを有している。カム筒駆動制御部１５２には、本実施例のカメラの諸機能を起動させ撮影可能な状態にするためのメインスイッチ１５４からの信号と、操作者が撮影倍率を設定するためのズームスイッチ１５５からの信号とが入力するようになっている。また、本実施例のカメラは、いわゆるオートフォーカスカメラであり、被写体との距離を検出する距離検出部１５９からの信号がフォーカス制御部１５３に入力するようになっている。
【００２６】
ファインダー１２０は、図８に示すように、本体カバー１０１に対して移動可能な移動レンズ１２１，１２２と、本体カバー１０１に対して固定されている固定レンズ１２３と、視野枠１２４と、接眼レンズ１２５とを有して構成されている。また、ストロボ１３０は、ストロボ本体１３１と、ストロボ本体１３１よりも被写体側に配されているブリネルレンズ（図示されていない。）とを有して構成されている。ストロボ本体１３１は、発光体１３２と、これを覆うストロボカバー１３３とを有している。ストロボカバー１３３には、カムフォロア軸１３４が設けられている。ファインダー１２０の移動レンズ１２１，１２２は、カムフォロア軸１２６，１２７に支持されている。
【００２７】
変倍・変角機構１１０は、ズームカム筒６０のセクタギヤ６８と、このセクタギヤ６８に係合する変倍・変角用ギヤ群１１１，１１２，１１３と、このギヤ群１１１，１１２，１１３の動作により揺動する変倍・変角用カム体１１４と、変倍・変角用カム体１１４の揺動軸１１５と、ファインダー移動レンズ１２１，１２２及びストロボ本体１３１を光軸Ｃと平行な方向へ移動するよう案内する案内軸１１６，１１７とを有して構成されている。変倍・変角用カム体１１４は、扇形を成し、その要部分に、揺動軸１１５が設けられている。扇形の変倍・変角用カム体１１４には、その円弧に該当する部分に、ギヤ群１１１，１１２，１１３のうちの一のギヤ１１３に係合するギヤ１１４ｄが形成されている。さらに、扇形の変倍・変角用カム体１１４には、このカム体１１４の揺動に伴って移動レンズ１２１，１２２及びストロボ本体１３１を移動させるためのカム１１４ａ，１１４ｂ，１１４ｃが形成されている。このカムとしては、移動レンズ１２１，１２２のカムフォロア軸１２６，１２７の端部が挿入されるファインダ変倍用カム１１４ａ，１１４ｂと、ストロボ本体１３１のカムフォロア軸１３４の端部が挿入されるストロボ照射角変更用カム１１４ｃとを有している。ファインダ変倍用案内軸１１６及びストロボ照射角変更用案内軸１１７は、共に光軸Ｃと平行に本体カバー１０１に固定されている。ファインダ変倍用案内軸１１６は、移動レンズ１２１，１２２のカムフォロア軸１２６，１２７に貫通しており、ストロボ照射角変更用案内軸１１７は、ストロボカバー１３３に貫通している。
【００２８】
次に、本実施例の沈胴式ズームカメラの動作について説明する。
図１及び図４に示すように、沈胴位置の状態では、鏡筒装置全体が本体カバー１０１内に納まっている。この際、１群用フォロアピン１１、２群用フォロアピン２８、３群用フォロアピン３２は、それぞれ、最もフィルム側に位置している。具体的には、図４に示すように、１群用フォロアピン１１は、沈胴カム筒５０に形成されている１群用カム５１の最もフィルム側に位置し、２群用フォロアピン２８は、ズームカム筒６０に形成されているリフトコマ収納部６６内に位置し、３群用フォロアピン３２は、ズームカム筒６０に形成されている３群用カム６３の垂直部６３ｃに位置している。また、リフトコマ８０も、ズームカム筒６０のリフトコマ収納部６６内における最もフィルム側に位置している。このリフトコマ８０は、その被写体側端面と２群用フォロアピン２８のテーパ部２９ａとが接触している。また、カム筒駆動ギヤ７１は、沈胴カム筒５０の外周に形成されているセクタギヤ５４のみに係合し、ズームカム筒６０の外周に形成さているセクタギヤ６８には、係合していない。
【００２９】
また、沈胴カム筒回転拘束レバー９１ａの係止端９２ａは、沈胴カム筒５０の被係止部５５ａに係止されておらず、ズームカム筒回転拘束レバー９１ｂの係止端９２ｂは、ズームカム筒６０の被係止部６９ｂに係止されている。さらに、沈胴カム筒５０の爪５３は、ズームカム筒６０の切欠き６７の端に至っていない。従って、ズームカム筒６０は、本体に対して回転できず、沈胴カム筒５０は、本体に対して回転できる状態になっている。
【００３０】
この沈胴位置の状態で、操作者がメインスイッチ１５４を押すと、カム筒駆動制御部１５２から駆動モータ７３に信号が出力され、駆動モータ７３が駆動する。なお、ここでは、説明を簡単にするために、カム筒駆動制御部１５２からの信号は、駆動モータ７３に出力されることにしているが、実際には、駆動モータ７３と電源（図示されていない。）との間に設けられているスイッチング素子（図示されていない。）に出力される。すると、図４に示すように、カム筒駆動モータ７３の駆動で回転するカム筒駆動ギヤ７１は、沈胴カム筒５０のセクタギヤ５４のみに係合しているので、沈胴カム筒５０のみが光軸回りに回転する（同図中、Ａ方向）。この沈胴カム筒５０の回転で、沈胴カム筒５０に形成されているリフトコマ用カム５２及び１群用カム５１の位置も本体に対して相対的に移動する。この１群用カム５１の移動により、１群用カム５１に係合している１群用フォロアピン１１は、光軸Ｃと平行な方向成分を有する方向へ移動しようとする。この際、１群用フォロアピン１１は、その円筒部１２ａが固定筒４０の１群用直進案内孔４１に係合しているため、光軸Ｃと平行な方向に移動する。このため、１群レンズ支持筒１０が光軸Ｃと平行な方向に移動し始める。また、リフトコマ用カム５２の移動により、このカム５２の斜め部５２ａに係合したリフトコマ８０のフォロアピン８１は、光軸Ｃと平行な方向成分を含む方向へ移動しようとする。ところで、リフトコマ８０は、リフトコマ収納部６６により、光軸Ｃと平行な方向へ移動するよう規制されているため、リフトコマ８０は、光軸Ｃと平行な方向に移動する。このリフトコマ８０の移動により、このリフトコマ８０に当接している２群用フォロアピン２８も光軸Ｃと平行な方向成分を含む方向に移動しようとする。この際、２群用フォロアピン２８は、その円筒部２９ａが固定筒４０の２群用直進案内孔４２に係合しているため、光軸Ｃと平行な方向に移動する。このため、２群レンズ２３，２７を支持しているシャッタブロック２０及び防振ユニット２５も、光軸Ｃと平行な方向に移動し始める。
【００３１】
すなわち、沈胴位置の状態において、駆動モータ７３が駆動し始めると、沈胴カム筒５０のみが回転して、１群レンズ１５及び２群レンズ２３，２７が光軸Ｃと平行な方向へ移動する。なお、３群レンズ３６は、３群用フォロアピン３２が回転する沈胴カム筒５０のカムに係合していないので、まったく移動しない。
【００３２】
この状態から、さらに駆動モータ７３が駆動すると、図５に示すように、沈胴カム筒５０の爪５３がズームカム筒６０の切欠き６７の端に当接して、ズームカム筒６０も沈胴カム筒５０と共に回転し始める。この際、沈胴カム筒５０の１群用カム５１の被写体側端部と、ズームカム筒６０の１群用カム６１のフィルム側端部との位置が一致し、１群用フォロアピン１１が沈胴カム筒５０の１群用カム５１からズームカム筒６０の１群用カム６１へ乗り移ることが可能になる。なお、ズームカム筒６０の回転を拘束していたズームカム筒用回転拘束レバー９１ｂの係止端９２ｂは、この直前に、沈胴カム筒５０の被係止部６９ｂから外れ、ズームカム筒６０も本体に対して回転可能な状態になる。これは、回転拘束レバー９１ｂのカムフォロア端９３ｂが、沈胴カム筒５０に形成されているズームカム筒回転拘束用カム５５ｂの段上部分から段下部分に当接するようになるため、このカムフォロア端９３ｂに対して揺動軸９４ｂを中心として対称の位置に位置している係止端９２ｂがズームカム筒６０から遠ざかる方向に移動するからである。
【００３３】
また、沈胴状態から沈胴カム筒５０の爪５３がズームカム筒６０の切欠き６７の端に当接するまでの間に、リミットスイッチ１６５は、沈胴カム筒５０の外周に形成されている基準位置検出用凸部５９に当接して、ＯＦＦ状態からＯＮ状態になり、制御回路１５０のカウンタ１５１が「０」にリセットされる。カウンタ１５１は、その後、カム筒駆動モータ７３の駆動量を検出する駆動量検出センサ１６０からのパルス数をカウントアップして行く。
【００３４】
沈胴カム筒５０の爪５３がズームカム筒６０の切欠き６７の端に当接して、ズームカム筒６０も沈胴カム筒５０と共に回転し始めると、カム筒駆動ギヤ７１は、ズームカム筒６０のセクタギヤ６８にも係合するようになる。この際、リフトコマ８０は、リフトコマ収納部６６の最も被写体側に位置することになり、リフトコマ８０に当接していた２群用フォロアピン（今までリフトコマ収納部６６内に位置していた。）２８は、ズームカム筒６０の２群用カム６２ｂに移る。また、ズームカム筒６０が回転し始めることで、ズームカム筒６０に形成されている３群用カム６３の位置も、本体に対して相対的に移動し始める。ところで、３群用フォロアピン３２は、３群用カム６３の垂直部６３ｃに位置しているため、ズームカム筒６０が回転し始めても、まったく移動しない。また、１群用フォロアピン１１は、沈胴カム筒５０の３群用カム６３の移動に伴って、さらに光軸Ｃと平行な方向に進み、ズームカム筒６０に近づいてゆく。
【００３５】
そして、さらに、駆動モータ７３が駆動し、ズームカム筒６０及び沈胴カム筒５０が回転すると、図６及び図２に示すように、１群用フォロアピン１１は、沈胴カム筒５０の１群用カム５１からズームカム筒６０の１群用カム６１に乗り移る。また、２群用フォロアピン２８は、ズームカム筒６０のスルーカム部６５の２群用カム６２ｂからインナーカム部６４の２群用カム６２ａに移る。さらに、３群用フォロアピン３２は、３群用カム６３の垂直部６３ｃからその斜め部に移る。また、カム筒駆動ギヤ７１は、沈胴カム筒５０のセクタギヤ５４から外れ、ズームカム筒６０のセクタギヤ６８にのみ係合するようになる。この状態は、撮影可能な最小倍率を確保可能な最小倍率位置の状態で、制御回路１５０は、カウンタ１５１のカウント数から最小倍率位置の状態になったことを認識する。すると、制御回路１５０のカム筒駆動制御部１５２からの指示で、カム筒駆動モータ７３は停止する。なお、この最小倍率位置の状態になる直前で、沈胴カム筒回転拘束レバー９１ａの係止端９２ａが、沈胴カム筒５０の被係止部５５ａに係止され、沈胴カム筒５０は、本体に対して回転不能な状態になる。
【００３６】
ところで、沈胴カム筒５０の爪５３がズームカム筒６０の切欠き６７の端に当接して、ズームカム筒６０と沈胴カム筒５０とが共に回転し始めてから、最小倍率位置の状態になるまでの間は、多数の動作が行われ、カム筒５０，６０の回転角は大きいようであるが、実際には、この間のカム筒５０，６０の回転角は僅かで、最小倍率位置の状態に至る直前で、以上の多数の動作が行われている。
【００３７】
最小倍率位置の状態で、撮影者が他の倍率を所望して、ズームスイッチ１５５を操作すると、再び、制御回路１５０のカム筒駆動制御部１５２からの指示で駆動モータ７３が駆動し始める。カム筒駆動ギヤ７１は、ズームカム筒６０のセクタギヤ６８にのみ係合しているので、駆動モータ７３の駆動でズームカム筒６０のみが回転し始める。このズームカム筒６０の回転で、ズームカム筒６０に形成されている１群用カム６１、２群用カム６２、３群用カム６３の位置が、本体に対して相対的に移動して、これらのカム６１，６２，６３に係合しているフォロアピン１１，２８，３２が光軸Ｃと平行な方向へ移動する。このフォロアピン１１，２８，３２の移動により、１群レンズ１５を支持している１群レンズ支持筒１０、２群レンズ２３，２７を支持しているシャッタブロック２０及び防振ユニット２５、３群レンズ３６を支持しているフォーカスユニット３０が光軸Ｃと平行な方向へ移動し、撮影者が所望した倍率を得ることができるようになる。制御回路１５０は、カウンタ１５１のカウント数から、間接的に撮影者が所望した倍率を得ることができるようになったことを認識すると、カム筒駆動制御部１５２からの指示で駆動モータ７３の駆動を停止させと共に、フォーカス制御部１５３からの指示でフォーカスユニット３０を駆動させる。フォーカスユニット３０が駆動すると、ヘリコイド環３４が回転して、３群レンズ３６は光軸回りに回転しつつ光軸Ｃと平行な方向へ僅かに移動し、焦点調節がなされる。
【００３８】
最大倍率を得る場合には、図７に示すように、１群用フォロアピン１１、２群用フォロアピン２８、３群用フォロアピン３２は、各カム６１，６２，６３の最も被写体側に位置することになり、各レンズ１５，２３，２７，３６も、最も被写体側に位置することになる。但し、３群レンズ３６は、３群用フォロアピン３２が３群用カム６３の最も被写体側に位置していても、焦点調節のため、フォーカスユニット３０の駆動により、最も被写体側に位置していない場合があることは言うまでもない。
【００３９】
次に、最小倍率位置の状態から沈胴位置の状態への繰込動作について説明する。
この繰込動作は、以上の繰出動作の逆の動作と基本的に同一である。但し、１点だけ異なる動作がある。２群用フォロアピン２８は、繰出動作の際、リフトコマ８０の移動により被写体側へ移動することができたが、繰込動作の際は、リフトコマ８０が移動してもフィルム側へ移動することができない。そこで、この場合、図１に示すように、１群レンズ支持筒１０のフィルム側端部１４で、２群用フォロアピン２８が形成されている防振ユニット２５をフィルム側へ押して、２群用フォロアピン２８をフィルム側へ移動させている。
【００４０】
次に、ファインダ１２０の変倍動作及びストロボ１３０の照射角変更動作について、図８を用いて説明する。
ズームカム筒６０が回転すると、ズームカム筒６０のセクタギヤ６８に係合している変倍・変角用ギヤ群１１１，１１２，１１３が回転する。このギヤ群１１１，１１２，１１３の回転により、変倍・変角用カム体１１４が揺動軸１１５を中心として揺動する。この変倍・変角用カム体１１４の揺動で、変倍・変角用カム体１１４に形成されているファインダ変倍用カム１１４ａ，１１４ｂと照射角変更用カム１１４ｃの位置が本体に対して相対移動し、これらのカム１１４ａ，１１４ｂ，１１４ｃに係合しているファインダ移動レンズ１２１，１２２のカムフォロア軸１２６，１２７及びストロボ１３０のカムフォロア軸１３４とが光軸と平行な方向成分を含む方向に移動しようとする。この際、ファインダ移動レンズ１２１，１２２のカムフォロア軸１２６９，１２７は、ファインダ変倍用案内軸１１６に案内され、ストロボ本体１３１がストロボ照射角変更用案内軸１１７に案内されるため、ファインダ移動レンズ１２１，１２２及びストロボ本体１３１は光軸と平行な方向へ移動し、撮影倍率に対応したファインダ倍率及びストロボ照射角度になる。
【００４１】
ここで、カム筒５０，６０の回転について簡単に整理する。沈胴カム筒５０のセクタギヤ５４は、沈胴位置の状態から最小倍率位置直前の状態になる迄の間に形成されている。また、ズームカム筒６０のセクタギヤ６８は、最小倍率位置直前の状態から最大倍率位置の状態になる迄の間に形成されている。このため、これらセクタギヤ５４，６８に係合するカム筒駆動ギヤ７１の回転に対して、沈胴位置の状態から最小倍率位置の状態になる際には、当初、沈胴カム筒５０のみが回転し、最小倍率位置の直前の状態になると、沈胴カム筒５０とズームカム筒６０とが回転する。また、最小倍率位置の状態から最大倍率位置の状態になる際には、ズームカム筒６０のみが回転する。すなわち、ズームカム筒６０は、最小倍率位置の直前の状態から最大倍率位置の状態までの間で回転する。
【００４２】
ところで、変倍・変角機構１１０は、ズームカム筒６０の回転により動作する。このため、ファインダ移動レンズ１２１，１２２とストロボ本体１３１とは、撮影不可能な沈胴位置の状態から最小倍率位置直前の状態までの間では移動せず、最小倍率位置直前の状態から最大倍率位置の状態までの間で移動する。従って、本実施例では、ファインダ移動レンズ１２１，１２２とストロボ本体１３１の移動距離や、変倍・変角用カム体１１４の揺動範囲が小さくなると共に、変倍・変角用カム体１１４の各カムの長さが短くなり、カメラ全体の小型化を図ることができる。
【００４３】
一般的に、２つの筒５０，６０を別々に回転させようとすると、それぞれに独立した駆動源を設けてしまうことが通例である。しかしながら、本実施例では、それぞれの筒５０，６０の外周にセクタギヤ５４，６８を形成し、且つ、各筒５０，６０を回転させたい状態に併せて、それぞれのセクタギヤ５４，６８の形成領域を定めているので、これらセクタギヤ５４，６８に係合する１個のギヤ７１を１個の駆動源７３で回転させることで、２つの筒５０，６０を別々に回転させることができる。従って、カム筒を２分割したことで、２つの駆動源を設ける必要はなく、カム筒回転機構７０回りが大型化することはない。
また、本実施例では、２分割したカム筒相互が部分的に重なり合うようにしているので、２つのカム筒５０，６０相互間を完全に遮光することができる。なお、本実施例の場合、各レンズの移動範囲の位置や、ズームカム筒６０と沈胴カム筒５０との相対回転でリフトコマ８０を移動させる関係上、必然的に、２つのカム筒５０，６０相互が部分的に重なり合ってしまうが、光学設計上で、このような制約を受けない場合であっても、完全な遮光を実現すべく、２つのカム筒５０，６０相互を部分的に重ね合わせることが好ましい。
【００４４】
また、本実施例では、ズームカム筒６０のインナーカム部６３では、ここに形成されているカムが溝底を有するインナーカム６１ａ，６２ａ，６３ａとして形成させているため、ズームカム筒６０の剛性があまり低下せず、ここにカムフォロアピン１１，１８，３２に当接しても、インナーカム６１ａ，６２ａ，６３ａはほとんど変形せず、カムフォロアピン１１，１８，３２を正確な位置に案内することができる。一方、ズームカム筒６０のスルーカム部６４では、ここの部分の厚さの関係上、ここに形成されているカムがスルーカムとして形成されているものの、スルーカム部６４は、その外側から沈胴カム筒５０で押え付けられているため、ここの剛性もあまり低下せず、このスルーカム部６４に形成されているのスルーカム６１ｂ，６２ｂ，６３ｂもあまり変形しない。また、沈胴カム筒５０のカムも、インナーカム５１として形成されているため、ここに係合するフォロアピン１１を正確な位置に案内することができる。
【００４５】
さらに、本実施例では、カム筒回転拘束機構９０を設けたので、一方のカム筒を回転させ、且つ他方のカム筒を停止させておく状態において、一方のカム筒の回転で他方のカム筒が回転することはなく、一方のカム筒から他方のカム筒にフォロアピン１１が移動する際の両カム筒の回転角位相ズレを防ぐことができる。また、一般的には、２つのカム筒５０，６０の回転に対して、それぞれ駆動量検出用センサ及びリセットスイッチを設けることが通例である。しかしながら、本実施例では、カム筒回転拘束機構９０により両カム筒の回転角の位相関係を確実に確保することができるため、それぞれ別々に回転する２つのカム筒５０，６０に対して、１つの駆動量検出センサ１６０、及び１つのリセットスイッチ１６５で対応することができる。
【００４６】
なお、本実施例では、沈胴カム筒５０の外周の特定位置に基準位置検出用凸部５９を形成し、そこにリミットスイッチ１６５を配したが、これらは、あくまでも駆動量検出センサ１６５より把握されるカム筒５０，６０の回転量の基準位置を認識するためのものであるから、これらをズームカム筒６０側に設けてもよいことは言うまでもない。
【００４７】
【発明の効果】
本発明では、沈胴位置の状態から最小倍率位置直前の状態迄の間は、沈胴カム筒の回転によりレンズを移動させ、最小倍率位置から最大倍率位置の状態迄の間は、ズームカム筒の回転のみでレンズを移動させている。このため、ズームカム筒の回転のみで動作するファインダの変倍機構、さらにこの変倍機構で変倍動作するファインダは、撮影不可能な沈胴位置の状態から最小倍率位置直前の状態までの間は動作しない。従って、本発明によれば、ファインダ自体の可動部分の動作ストローク、及びこのファインダの変倍機構の可動部分の動作ストロークを短くすることができ、カメラ全体の小型化を図ることができる。
【図面の簡単な説明】
【図１】本発明に係る一実施例の沈胴式ズームカメラの断面図（沈胴位置の状態）である。
【図２】本発明に係る一実施例の沈胴式ズームカメラの鏡筒部の断面図（最小倍率位置の状態）である。
【図３】本発明に係る一実施例の制御回路の機能ブロック図である。
【図４】本発明に係る一実施例の沈胴カム筒とズームカム筒の展開図（沈胴位置の状態）である。
【図５】本発明に係る一実施例の沈胴カム筒とズームカム筒の展開図（沈胴位置と最小倍率位置との中間位置における状態）である。
【図６】本発明に係る一実施例の沈胴カム筒とズームカム筒の展開図（最小倍率位置の状態）である。
【図７】本発明に係る一実施例の沈胴カム筒とズームカム筒の展開図（最大倍率位置の状態）である。
【図８】本発明に係る一実施例の沈胴式ズームカメラの要部展開斜視図である。
【図９】従来の沈胴式ズームカメラの要部展開斜視図である。
【符号の説明】
１０…１群レンズ支持筒、１１…１群用フォロアピン、１５…１群レンズ、２０…シャッタブロック、２３…２群前レンズ、２５…防振ユニット、２７…２群後レンズ、２８…２群用フォロアピン、３０…フォーカスユニット、３２…３群用フォロアピン、３６…３群レンズ、４０…固定筒、４１…１群用直進案内孔、４２…２群用直進案内孔、４３…３群用直進案内孔、５０…沈胴カム筒、５１…（沈胴カム筒の）１群用インナーカム、５２…リフトコマ用カム、５３…爪、５４…（沈胴カム筒の）セクタギヤ、５５ａ…（沈胴カム筒の）被係止部、５５ｂ…ズームカム筒回転拘束用カム、５９…基準位置検出用凸部、６０…ズームカム筒、６１…（ズームカム筒の）１群用カム、６１ａ…１群用インナーカム、６１ｂ…１群用スルーカム、６２…２群用カム、６２ａ…２群用インナーカム、６２ｂ…２群用スルーカム、６３…３群用カム、６３ａ…３群用インナーカム、６３ｂ…３群用スルーカム、６４…インナーカム部、６５…スルーカム部、６６…リフトコマ収納部、６７…切欠き、６８…（ズームカム筒の）セクタギヤ、６９ａ…沈胴カム筒回転拘束用カム、６９ｂ…（ズームカム筒の）被係止部、７０…カム筒回転機構、７１…カム筒駆動ギヤ、７３…駆動モータ、８０…リフトコマ、８１…リフトコマフォロアピン、９０…カム筒回転拘束機構、９０ａ…沈胴カム筒回転拘束機構、９０ｂ…ズームカム筒回転拘束機構、９１ａ，９１ｂ…回転拘束レバー、９２ａ，９２ｂ…係止端、９３ａ，９３ｂ…カムフォロア端、１０１…本体カバー、１０２…本体ベース、１０３…裏蓋、１０５…フィルム、１１０…変倍・変角機構、１１４…変倍・変角用カム体、１１４ａ，１１４ｂ…ファインダ変倍用カム、１１４ｃ…ストロボ照射角変更用カム、１２０…ファインダ、１２１，１２２…移動レンズ、１２５…接眼レンズ、１３０…ストロボ、１３１…ストロボ本体、１３２…発光体、１３３…ストロボカバー、１５０…制御回路、１５１…カウンタ、１５２…カム筒駆動量制御部、１５３…フォーカス制御部、１５４…メインスイッチ、１５５…ズームスイッチ、１６０…駆動量検出センサ、１６１…スリット円板、１６２…フォトインタラプタ、１６５…リミットスイッチ。
【図１】
0003557639.tif 000002
【図２】
0003557639.tif 000003
【図３】
0003557639.tif 000004
【図４】
0003557639.tif 000005
【図５】
0003557639.tif 000006
【図６】
0003557639.tif 000007
【図７】
0003557639.tif 000008
【図８】
0003557639.tif 000009
【図９】
0003557639.tif 000010